(57)【要約】  パネル（１）に対するスピーカの取り付け構造であって、スピーカ（２０）と、パネル（１）における所定の取り付け箇所の両隣りに突起状に形成された一対のラッチ（１０，１１）と、所定の取り付け箇所にスピーカ（２０）を押圧した状態で一対のラッチ（１０，１１）に固定係止されるフレーム部材（３０）とを備えている。
2009025035.tif 000002
【特許請求の範囲】
【請求項１】
パネルに対するスピーカの取り付け構造であって、
上記スピーカと、
上記パネルにおける所定の取り付け箇所の両隣りに突起状に形成された一対のラッチと、
上記所定の取り付け箇所に上記スピーカを押圧した状態で上記一対のラッチに固定係止されるフレーム部材と、
を備えていることを特徴とする、スピーカの取り付け構造。
【請求項２】
上記スピーカには、コードが付属しており、上記一対のラッチのいずれか一方には、上記コードを通すための縦溝が形成されている、請求項１に記載のスピーカの取り付け構造。
【請求項３】
上記スピーカの各隅部には、切り欠き状の段付き部が形成されており、上記フレーム部材の両端部には、上記段付き部に当接する凸部と、上記ラッチを差し込むための開口部と、この開口部の外縁をなして上記ラッチの係止部に当接する縁部とが形成されている、請求項１または２に記載のスピーカの取り付け構造。
【請求項４】
上記パネルの取り付け面から上記ラッチの係止部までの高さをｈ、上記パネルの取り付け面に接する上記スピーカの前面から上記段付き部までの厚みをｄ、自然状態における上記フレーム部材の凸部から縁部までの厚みをｔとした場合、これらの高さｈおよび厚みｄ、ｔは、少なくともｈ＜ｄ＋ｔとなっている、請求項３に記載のスピーカの取り付け構造。
【請求項５】
上記所定の取り付け箇所の周辺には、上記スピーカの横ずれを規制するためのスピーカ用ガイドが形成されているとともに、上記フレーム部材の横ずれを規制するためのフレーム用ガイドが形成されている、請求項１ないし４のいずれかに記載のスピーカの取り付け構造。
【請求項６】
パネルの内側にスピーカの取り付け構造を備えたフラットパネルディスプレイであって、
上記スピーカと、
上記パネルの内側における所定の取り付け箇所の両隣りに突起状に形成された一対のラッチと、
上記所定の取り付け箇所に上記スピーカを押圧した状態で上記一対のラッチに固定係止されるフレーム部材と、
を備えていることを特徴とする、フラットパネルディスプレイ。
【発明の詳細な説明】
【技術分野】
【０００１】
本発明は、たとえばフラットパネルディスプレイのパネルに対するスピーカの取り付け構造、およびそのような構造を備えたフラットパネルディスプレイに関する。
【背景技術】
【０００２】
従来のパネルに対するスピーカの取り付け構造としては、特許文献１に開示されたものがある。同文献に開示されたものでは、パネルの背面に設けられた取付台に対し、係合突片および係合溝による固定係止あるいはネジ止めによってスピーカを直接的に取り付けるようにしている。このようなスピーカの取り付け構造は、たとえばパーソナルコンピュータのフラットパネルディスプレイに採用されている。【０００３】
【特許文献１】特開平９−１６３４８１号公報
【０００４】
しかしながら、上記従来のようにスピーカを取付台に対して固定係止する構造では、単純に係合突片と係合溝とを係合させるだけではスピーカを完全に固定することができないため、スピーカから音が発せられる際の振動によっていわゆるビビリ音が生じるおそれがある。【０００５】
ネジ止めによりスピーカを取り付ける構造においては、ネジを一つひとつ締め付けなければならないので、取り付け作業を迅速に行うことができないという難点があった。
【発明の開示】
【０００６】
本発明は、上記した事情のもとで考え出されたものである。本発明は、音質向上を図るとともに、取り付け作業を迅速かつ容易に行うことができるスピーカの取り付け構造、およびそのような構造を備えたフラットパネルディスプレイを提供することをその課題としている。
【０００７】
上記課題を解決するため、本発明では、次の技術的手段を講じている。
【０００８】
本発明の第１の側面により提供されるスピーカの取り付け構造は、パネルに対するスピーカの取り付け構造であって、上記スピーカと、上記パネルにおける所定の取り付け箇所の両隣りに突起状に形成された一対のラッチと、上記所定の取り付け箇所に上記スピーカを押圧した状態で上記一対のラッチに固定係止されるフレーム部材とを備えていることを特徴としている。
【０００９】
好ましくは、上記スピーカには、コードが付属しており、上記一対のラッチのいずれか一方には、上記コードを通すための縦溝が形成されている。
【００１０】
好ましくは、上記スピーカの各隅部には、切り欠き状の段付き部が形成されており、上記フレーム部材の両端部には、上記段付き部に当接する凸部と、上記ラッチを差し込むための開口部と、この開口部の外縁をなして上記ラッチの係止部に当接する縁部とが形成されている。
【００１１】
好ましくは、上記パネルの取り付け面から上記ラッチの係止部までの高さをｈ、上記パネルの取り付け面に接する上記スピーカの前面から上記段付き部までの厚みをｄ、自然状態における上記フレーム部材の凸部から縁部までの厚みをｔとした場合、これらの高さｈおよび厚みｄ、ｔは、少なくともｈ＜ｄ＋ｔとなっている。
【００１２】
好ましくは、上記所定の取り付け箇所の周辺には、上記スピーカの横ずれを規制するためのスピーカ用ガイドが形成されているとともに、上記フレーム部材の横ずれを規制するためのフレーム用ガイドが形成されている。
【００１３】
本発明の第２の側面により提供されるフラットパネルディスプレイは、パネルの内側にスピーカの取り付け構造を備えたフラットパネルディスプレイであって、上記スピーカと、上記パネルの内側における所定の取り付け箇所の両隣りに突起状に形成された一対のラッチと、上記所定の取り付け箇所に上記スピーカを押圧した状態で上記一対のラッチに固定係止されるフレーム部材とを備えていることを特徴としている。
【図面の簡単な説明】
【００１４】
【図１】本発明に係るフラットパネルディスプレイの一実施形態を示す全体図である。
【図２】図１のフラットパネルディスプレイにおけるスピーカの取り付け構造を示す分解斜視図である。
【図３】図２のスピーカを取り付けた状態を示す斜視図である。
【図４】図２の各部品を示す斜視図である。
【図５】図３のＶ−Ｖ線に沿う断面図である。
【発明を実施するための最良の形態】
【００１５】
以下、本発明の好ましい実施の形態を、図面を参照して具体的に説明する。【００１６】
図１〜５は、本発明に係るスピーカの取り付け構造およびフラットパネルディスプレイの一実施形態を示している。図１に示すように、本実施形態のフラットパネルディスプレイＡは、前面パネル１の内側にたとえば液晶表示装置２やスピーカ２０（図１には図示略）を組み込んで構成されたものである。前面パネル１には、液晶表示装置２の画面を表示するための表示窓１Ａや、スピーカ２０からの音を通すための複数の通音孔１Ｂが設けられている。【００１７】
図２および図３に示すように、前面パネル１の内側において通音孔１Ｂが設けられたスピーカの取り付け箇所には、長矩形状のスピーカ２０がフレーム部材３０を介して取り付けられる。スピーカ２０の背面には、付属するコード２１が接続されており、その背面側の各隅部には、切り欠き状の段付き部２２が形成されている。【００１８】
図２および図４に示すように、スピーカの取り付け箇所の左右両隣りには、フレーム部材３０を固定係止するための一対のラッチ１０，１１が突起状に形成されている。図４によく示すように、一方のラッチ１０には、外向きに突出するように鉤状の係止部１０Ａが形成されている。他方のラッチ１１にも同様の係止部１１Ａが形成されているほか、この片側のラッチ１１には、コード２１を通すための縦溝１１Ｂが形成されている。その他、取り付け箇所の周辺には、スピーカ２０の側面に当接することでその横ずれを規制するための複数のスピーカ用ガイド１２や、フレーム部材３０の側面に当接することでその横ずれを規制するための複数のフレーム用ガイド１３が形成されている。取り付け箇所には、スピーカ２０の前面に当接する枠状の台座１４が形成されている。【００１９】
図２および図４に示すように、フレーム部材３０は、スピーカ２０と同程度の矩形をなす枠部３１と、左右の両端部３２とを有して構成されている。図４によく示すように、フレーム部材３０の両端部３２には、スピーカ２０の段付き部２２に当接するように下向きに突出した凸部３３、ラッチ１０，１１を差し込むための開口部３４、およびこの開口部３４の外縁をなしてラッチ１０，１１の係止部１０Ａ，１１Ａに当接する縁部３５が形成されている。このようなフレーム部材３０は、たとえばプラスチックからなり、ある程度の外力によって枠部３１および両端部３２が長手方向に沿って湾曲状に弾性変形可能である。【００２０】
図５に示すように、前面パネル１の取り付け面１Ｃからラッチ１０の係止部１０Ａまでの高さをｈ、図示しない台座１４の厚みを含むものとしてスピーカ２０の前面から段付き部２２までの厚みをｄ、自然状態におけるフレーム部材３０の凸部３３から縁部３５までの厚みをｔとした場合、これらの高さｈおよび厚みｄ、ｔは、少なくともｈ＜ｄ＋ｔとなっている。なお、厚みｄ、ｔの総和は、あまりに大きいとラッチ１０，１１に対してフレーム部材３０をはめ合わすことができなくなるため、たとえばｄ＋ｔ＜１．１ｈといった設計条件が定められている。【００２１】
前面パネル１にスピーカ２０を取り付ける際には、まず、前面パネル１の内側の取り付け箇所にスピーカ２０を配置する。このとき、スピーカ２０の前面が台座１４に接した状態となり、その側面もスピーカ用ガイド１２に接するため、スピーカ２０の横ずれが防止される。【００２２】
次に、スピーカ２０のコード２１を片側のラッチ１１の縦溝１１Ｂに通し、その後、スピーカ２０の上方にフレーム部材３０をもってくる。その後、フレーム部材３０の開口部３４にラッチ１０，１１を差し込みながら縁部３５に係止部１０Ａを合わせた状態とする。このとき、フレーム部材３０の側面がフレーム用ガイド１３に接するため、フレーム部材３０の横ずれが防止される。コード２１は、フレーム部材３０の下方を通ってラッチ１１の縦溝１１Ｂから外側に引き出される。また、フレーム部材３０の凸部３３がスピーカ２０の段付き部２２に当接した状態となり、先述したｈ＜ｄ＋ｔとなる条件により枠部３１および両端部３２が長手方向に沿って若干湾曲する。その結果、フレーム部材３０がスピーカ２０を前面パネル１に対して弾性的に押さえ付けた状態となる。【００２３】
これにより、スピーカ２０は、前面パネル１に対して常時弾性的に押圧された状態で取り付けられた状態となり、スピーカ２０全体が振動によってずれ動くことはないので、いわゆるビビリ音の発生などといった音質低下の懸念もなく確実に取り付けられた状態となる。【００２４】
したがって、本実施形態によれば、スピーカ２０がフレーム部材３０を介して強固に取り付けられるので、スピーカ２０から音が発せられる際の振動によってビビリ音が生じるおそれがなく、比較的クリアな音質とすることができる。【００２５】
スピーカ２０を取り付ける際には、コード２１がフレーム部材３０の邪魔になることなくワンタッチで取り付けることができるので、従来のようなネジ止めなどによる場合に比べて取り付け作業を迅速かつ容易に行うことができる。
【図１】
2009025035.tif 000003
【図２】
2009025035.tif 000004
【図３】
2009025035.tif 000005
【図４】
2009025035.tif 000006
【図５】
2009025035.tif 000007
【国際調査報告】
2009025035.tif 000008
2009025035.tif 000009